(57)【要約】  【課題】  洗浄槽内部を良好に視認することができる食器洗浄機を提供する。  【解決手段】  食器Ａを出し入れするための開口部１１を、前面側及び上面側の間にわたって有する略直方体の洗浄槽１０と、洗浄槽１０内に給水した水を食器Ａに対して噴射することで食器Ａを洗浄するための洗浄ノズル５とを備える食器洗浄機に、前面側及び上面側の間にわたる透光部２３を有する扉体２、つまり洗浄槽１０の前面側の開口部１１を閉塞する前面部分２０、湾曲部分２２、及び上面側の開口部１１を閉塞する天側扉部２１にわたる透光部２３を有する扉体２を備える。【選択図】        図１
2006187473.tif 000002
【特許請求の範囲】
【請求項１】
食器を出し入れするための開口部を有する洗浄槽と、前記開口部を閉塞する扉体とを備え、前記洗浄槽内に給水した水を食器に対して噴射することで食器を洗浄するようにしてある食器洗浄機において、
前記洗浄槽は、
前記開口部を前面側及び上面側の間にわたって有している
ことを特徴とする食器洗浄機。
【請求項２】
前記扉体は、
閉じた状態で、前面側及び上面側の間にわたって透光部を有している
ことを特徴とする請求項１に記載の食器洗浄機。
【請求項３】
天板部を備え、
前記扉体は、
前記洗浄槽の上方へ開き、開いた状態で前記扉体の後端が、前記天板部の後端よりも前方に位置するように構成してある
ことを特徴とする請求項１又は請求項２に記載の食器洗浄機。
【請求項４】
前記扉体は、
前記扉体と前記洗浄槽との間をシールするシール部材を、下端部又は側部に備える
ことを特徴とする請求項１乃至請求項３のいずれか一つに記載の食器洗浄機。
【発明の詳細な説明】
【技術分野】
【０００１】
本発明は、食器を洗浄槽に出し入れするための開口部を閉塞する扉体を備える食器洗浄機に関する。
【背景技術】
【０００２】
従来の食器洗浄機は、食器を出し入れするための開口部を前面側に有する略直方体の洗浄槽を備えており、洗浄槽には、洗浄槽の開口部を閉塞するための板状の扉体が支持アームによって上下回動可能に枢支されている。洗浄槽内部には、洗浄槽に給水された水を食器に噴射して洗浄する洗浄ノズルが配設されている。
【０００３】
食器洗浄機の使用者は、扉体を洗浄槽の上方へ開き、洗浄槽に食器を出し入れする。
【特許文献１】特開２０００−１５０９５８号公報
【発明の開示】
【発明が解決しようとする課題】
【０００４】
しかしながら、従来の食器洗浄機は、開口部を前面側にのみ有しているため、扉体を開いた場合であっても、洗浄槽の前面側以外の方向から、洗浄槽内部を視認することができず、また前面側以外の方向から食器を出し入れすることができないため、洗浄槽内部の視認性が悪く、スムーズに食器を洗浄槽に出し入れすることができないという問題があった。
【０００５】
例えば、前面側にのみ開口部を有する洗浄槽内の上側部分に収容された食器かごに食器を出し入れする場合、食器かごの上側部分は洗浄槽の上面部により覆われているため、食器かごを手前に引き出す必要があり、スムーズに食器を出し入れすることができない。
【０００６】
本発明は、斯かる事情に鑑みてなされたものであり、洗浄槽の前面側及び上面側の間にわたる開口部を備え、該開口部を閉塞するように扉体を形成することにより、扉体を開いた場合に、洗浄槽内部を前面側及び上面側から良好に視認することができ、また食器を洗浄槽にスムーズに出し入れすることができる食器洗浄機を提供することを目的とする。
【０００７】
また、閉じた状態で前面側及び上面側にわたる透光部を扉体に備えることにより、洗浄槽の上面側からも洗浄槽内部を視認することができ、また、前面側にのみ透光部を有する食器洗浄機に比べて、洗浄槽内部を良好に視認することができる食器洗浄機を提供することを他の目的とする。
【０００８】
更に、洗浄槽の上方へ扉体を開いた状態で、扉体の後端が、食器洗浄機の天板部の後端よりも前方に位置するように構成することにより、洗浄後に開いた扉体から水滴が垂れた場合であっても、拭き取り困難な食器洗浄機の後側に水滴が垂れる虞は無く、容易に手入れすることができる食器洗浄機を提供することを他の目的とする。
【０００９】
更にまた、扉体の下端部又は側部に、洗浄槽と扉体とをシールするシール部材を備えることにより、洗浄槽側にシール部材を備える場合に比べて、シール部材が食器又は食器かごと接触して破損する虞は低く、食器を頻繁に出し入れする場合であっても、長期間にわたり、漏水を効果的に防ぐことができる食器洗浄機を提供することを他の目的とする。
【課題を解決するための手段】
【００１０】
本発明に係る食器洗浄機は、食器を出し入れするための開口部を有する洗浄槽と、前記開口部を閉塞する扉体とを備え、前記洗浄槽内に給水した水を食器に対して噴射することで食器を洗浄するようにしてある食器洗浄機において、前記洗浄槽は、前記開口部を前面側及び上面側の間にわたって有していることを特徴とする。
【００１１】
本発明にあっては、洗浄槽が、前面側及び上面側の間にわたる開口部を有しており、扉体は、前記開口部を閉塞する形状、つまり洗浄槽の前面側及び上面側で前記開口部を閉塞する形状である。従って、扉体が開いた場合、前面部にのみ開口部を有する洗浄槽を備える食器洗浄機に比べて、開口部はより広く開放する。
【００１２】
本発明に係る食器洗浄機は、前記扉体が、閉じた状態で、前面側及び上面側の間にわたって透光部を有していることを特徴とする。
【００１３】
本発明にあっては、扉体が、閉じた状態で、前面側及び上面側の間にわたる透光部を有しているため、前面側にのみ透光部を有する食器洗浄機に比べて、外部の光、特に洗浄槽の上方からの光を洗浄槽内部に効率良く採光する。
【００１４】
本発明に係る食器洗浄機は、天板部を備え、前記扉体は、前記洗浄槽の上方へ開き、開いた状態で前記扉体の後端が、前記天板部の後端よりも前方に位置するように構成してあることを特徴とする。
【００１５】
本発明にあっては、扉体を上方へ開いた状態で、扉体の後端が、天板部の後端よりも前方に位置しているため、洗浄後に開いた扉体から、扉体に付着した水滴が、水滴の拭き取りが困難な食器洗浄機の後側に垂れる虞は無い。
【００１６】
本発明に係る食器洗浄機は、前記扉体が、前記扉体と前記洗浄槽との間をシールするシール部材を、下端部又は側部に備えることを特徴とする。
【００１７】
本発明にあっては、扉体の下端部又は側部にシール部材を備えているため、食器を出し入れする際、開いている扉体のシール部材に食器が接触する虞は低い。
【発明の効果】
【００１８】
本発明によれば、扉体を開いた場合、洗浄槽の上面側がより広く開放するため、洗浄槽内部を前面側及び上面側から良好に視認することができ、また食器を洗浄槽にスムーズに出し入れすることができる。
【００１９】
本発明によれば、洗浄槽の上面側からも洗浄槽内部を視認することができ、前面側にのみ透光部を有する食器洗浄機に比べて、洗浄槽の前方及び上方からの外部の光が洗浄槽内部に効率良く採光されるため、洗浄槽内部を良好に視認することができる。
【００２０】
本発明によれば、洗浄後に開いた扉体から水滴が垂れた場合であっても、拭き取り困難な食器洗浄機の後側に水滴が垂れる虞は無く、容易に手入れすることができる。
【００２１】
本発明によれば、洗浄槽側にシール部材を備える場合に比べて、シール部材が食器又は食器かごと接触して破損する虞は低く、食器又は食器かごを頻繁に出し入れする場合であっても、長期間にわたり、漏水を効果的に防ぐことができる。
【発明を実施するための最良の形態】
【００２２】
以下、本発明をその実施の形態を示す図面に基づいて詳述する。図１及び図２は、本発明に係る食器洗浄機の略示側断面図、図３は、食器洗浄機の略示正面図である。
【００２３】
図中１は、筐体であり、筐体１は、略直方体の洗浄槽１０を内部に配置している。筐体１は、流し台に設置される底板部１ｂ及び底板部１ｂに略平行な天板部１ａを備えた略直方体形状であり、筐体１及び洗浄槽１０は、食器Ａを出し入れするための開口部１１を有している。
【００２４】
洗浄槽１０は、上面視で略矩形の下面部１０ａを有しており、下面部１０ａは、筐体１の底板部１ｂに対して略平行に配置されている。下面部１０ａには、洗浄槽１０内部に収容された食器かご４に載せられている食器Ａに水を噴射する洗浄ノズル５が配設されている。洗浄ノズル５は、加圧した洗浄水を供給するポンプ（不図示）と接続しており、該ポンプは、洗浄槽１０の下側に配置されている。下面部１０ａの周縁部分には、背面壁１０ｃ、両側面壁１０ｅが下面部１０ａに対して略垂直に形成されており、背面壁１０ｃ及び両側面壁１０ｅの上端部分には、底板部１ｂに略平行な上面部１０ｄが形成されている。上面部１０ｄは、前方端部が下面部１０ａの前方端部より、下面部１０ａの前後方向の寸法の約４分の１後方にある。また、下面部１０ａの前方端部には、洗浄用の水を溜めるために、洗浄ノズル５と同程度の高さの前面板部１０ｂが下面部１０ａに対して略垂直に形成されている。
【００２５】
食器洗浄機は、食器Ａを洗浄する際に洗浄槽１０の開口部１１を閉塞するための扉体２を備えている。扉体２は、洗浄槽１０の前面側の開口部１１を閉塞するための板状の前面部分２０、前面部分２０の上部で洗浄槽１０の上面部１０ｄに略平行な方向へ湾曲した湾曲部分２２、及び洗浄槽１０の上面側の開口部１１を閉塞するための板状の天側扉部２１を備えている。前面部分２０は、扉体２が閉じた状態で洗浄槽１０の前面板部１０ｂに略平行であり、天側扉部２１は、洗浄槽１０の上面部１０ｄに略平行である。洗浄槽１０の側面壁１０ｅの前方及び上方にわたる端部の形状は、扉体２で洗浄槽１０が閉塞されるように、扉体２の側面内側部分と同様な形状に形成されている。
【００２６】
また、扉体２は、正面側から洗浄槽１０内部の中央及び両側面壁１０ｅを視認できるように左右方向にわたり、また前面部分２０の上下方向の略中央部、湾曲部分２２、及び天側扉部２１の中途にわたる透光部２３を有している。
【００２７】
洗浄槽１０は、扉体２を支持アーム３１によって略９０度の回動範囲で上下回動可能に支持している。支持アーム３１の基端は、回動軸３０により洗浄槽１０の両側面壁１０ｅに上下回動自在に支持されており、支持アーム３１の先端は、扉体２が開口部１１を閉塞した状態で、前面部分２０の上下方向略中央部に接続されている。回動軸３０は、扉体２が開いた状態で、扉体２の天側扉部２１の後端部が、天板部１ａの後端よりも前方寄りに位置するように、回動中心から筐体１の背面１ｃまでの距離が、回動中心から筐体１の天板部１ａまでの距離よりも長くなるような両側面壁１０ｅの位置に突設されている。
【００２８】
扉体２が、図１に示す状態から上方へ回動することによって開いた場合、図２に示すように洗浄槽１０の開口部１１は開放する。扉体２が開いた状態で、扉体２の天側扉部２１の後端部は、天板部１ａの後端よりも前方寄りに位置する。図２に示す状態から扉体２を下方へ回動することによって閉じた場合、洗浄槽１０の開口部１１は閉塞する。
【００２９】
前面部分２０の下端部２０ａには、洗浄槽１０と扉体２との間をシールするシール部材２５が取り付けてある。また、扉体２は、扉体２を開閉するための把手２４を前面部分２０の透光部２３より下側部分に設けている。
【００３０】
このように構成される食器洗浄機にあっては、扉体２を開いた場合、洗浄槽１０の上面側を覆う天側扉部２１も開くため、平板状の扉体を備える食器洗浄機に比べて、洗浄槽１０の上面側がより広く開放する。従って、洗浄槽１０の上方からも洗浄槽１０内部を視認することができ、また、食器Ａを洗浄槽１０にスムーズに出し入れすることができる。
【００３１】
例えば、前面側にのみ開口部を有する食器洗浄機において、洗浄槽内部の上側部分に収容された食器かごに食器を出し入れする場合、食器かごの上側部分は洗浄槽の上面部により覆われているため、食器かごをある程度手前に引き出す必要があったが、本発明によれば、上面側も開口するため、食器かごを手前に引き出すことなく、食器を食器かごに出し入れすることができる。
【００３２】
また、扉体２を略９０度回動させた場合、天側扉部２１は天板部１ａに対して略垂直になるため、板状の扉体を備える食器洗浄機に比べて、扉体２の内面に付着した水滴を天側扉部２１から天板部１ａの特定箇所に落とすことができ、食器洗浄機周辺に水滴が飛散することを防ぐことができる。なお、扉体２の前面部分２０の内面は、扉体２が閉じた状態で天側扉部２１に近づくにつれて、洗浄槽１０の後方へ近づくようにテーパ形状を有するようにすると良い。この場合、図２に示すように扉体２を開いた場合、扉体２の前面部分２１の内面は、天側扉体２１に近づくにつれて、天板部１ａの方向へ近づくように傾斜するため、扉体２の内面に付着した水滴をより効果的に天側扉部２１に集め、天側扉部２１から天板部１ａに落とすことができる。
【００３３】
更に、扉体２は、前面部分２０、湾曲部分２２、及び天側扉部２１の中途にわたる透光部２３を備えているため、扉体２を閉じた状態で、洗浄層２内部を前面側及び上面側から視認することができる。更に、前面部分２０にのみ透光部２３を有する食器洗浄機に比べて、外部からの光を洗浄槽１０内部に効率良く採光することができ、洗浄槽１０内部の食器Ａをより良好に視認することができる。流し台に食器洗浄機を設置する場合、一般に蛍光灯等の照明器具は洗浄槽１０の上方に位置するため、天側扉部２１に透光部２３を有しない場合に比べて、上方からの照明光は、洗浄槽１０内部に効率良く採光される。
【００３４】
更にまた、扉体２を開いた場合、扉体２の後端は、天板部１ａの後端よりも前方に位置するため、洗浄により扉体２に付着した水滴が開いた扉体２から垂れた場合であっても、拭き取り困難な食器洗浄機の後側に垂れる虞は無く、容易に手入れすることができる。
【００３５】
更にまた、扉体２を開いて食器Ａ又は食器かご４を洗浄槽１０に出し入れする場合、扉体２は洗浄槽１０の上方に位置しているため、シール部材２５が食器Ａ又は食器かご４に接触する虞はなく、前面板部１０ｂの上端部にシール部材２５を備える食器洗浄機に比べて、長期間わたり、漏水を効果的に防ぐことができる。
【００３６】
更にまた、扉体２を洗浄槽１０の上方に移動させるようにして開く構成であるため、扉体２を開いた食器洗浄機の前後方向の寸法は、扉体２を前方に開く食器洗浄機に比べて小さく、食器洗浄機を流し台に設置する自由度が高まる。
【００３７】
なお、本実施の形態にあっては、扉体は、前面部分、湾曲部分、及び天側扉部にわたって透光部を備えているが、前面部分、湾曲部分、又は天側扉部夫々に透光部を別体で設けても良い。
【００３８】
また、シール部材を前面部分の下端部に取り付けてあるが、これに限らず、前面部分の側部、縁部、又は縁部の一部分にシール部材を取り付けても良い。
【００３９】
更に、天板部は、筐体に設けてあるが、洗浄槽と一体的に天板部を形成するようにしても良い。食器洗浄機を構成する部品点数が減少するため、製造コストを抑えることができる。
【００４０】
更にまた、天板部の周縁に水滴の垂落ちを防止する条体を形成しても良い。扉体に付着した水滴が条体を有する天板部に垂れた場合、天板部から筐体の周辺に水滴が垂れ落ちることを防ぐことができる。
【図面の簡単な説明】
【００４１】
【図１】食器洗浄機の略示側断面図である。
【図２】食器洗浄機の略示側断面図である。
【図３】食器洗浄機の略示正面図である。
【符号の説明】
【００４２】
１  筐体
１ａ  天板部
２  扉体
１０  洗浄槽
１０ａ  下面部
１０ｂ  前面板部
１０ｃ  背面壁
１０ｄ  上面部
１０ｅ  側面壁
１１  開口部
２０  前面部分
２０ａ  下端部
２１  天側扉部
２２  湾曲部分
２３  透光部
２４  把手
２５  シール部材
３０  回動軸
３１  支持アーム
【図１】
2006187473.tif 000003
【図２】
2006187473.tif 000004
【図３】
2006187473.tif 000005